(57)【要約】    【課題】  コンピュータでマウスの左右両ボタンを同時にクリックすることにより、使用中のプログラムと関係なく所望の特定プログラムを優先的に速やかに実行させることができるシステム及び方法を提供する。    【解決手段】  マウスの左右両ボタンが同時クリックされると、ＯＳ管理モジュール(26)によってマウスのボタンクリック時に通常に表示される既設定のメニュー窓が表示されないようにメニュー窓の取消し信号をコンピュータＯＳに伝送する一方、マウスクリック認識モジュール(24)によってマウスの左右両ボタンの同時クリックが認識されると管理プログラムと共に実行ファイルを表示し、実行ファイルのリストの中からユーザーが該当プログラムを選択すると、登録ファイル実行モジュール(28)によって選択されたプログラムを実行させる。【選択図】  図２
2005301967.tif 000002
【特許請求の範囲】
【請求項１】
管理プログラムにより、マウスの左右両ボタンの同時クリック時に実行されるプログラムの実行ファイルに対する情報の登録を受けて実行ファイルデータベースに格納して管理する実行ファイル登録モジュールと、
コンピュータに連結されたマウスの左クリック、右クリックまたは左右同時クリックの可否を判断するマウスクリック認識モジュールと、
前記マウスの左右両ボタンが同時にクリックされると、マウスボタンのクリック時に通常に表示される既設定のメニュー窓が表示されないようにメニュー窓の取消し信号をコンピュータオペレーティングシステムに伝送するＯＳ管理モジュールと、
前記マウスクリック認識モジュールによってマウスの左右両ボタンの同時クリックが認識されるときに管理プログラムと共に表示される実行ファイルのリストの中からユーザーが該当プログラムを選択すると、選択されたプログラムを実行させる登録ファイル実行モジュールと、
前記それぞれのモジュールのデータの流れを制御する制御モジュールとを含むことを特徴とするマウスの左右両ボタンの同時クリックを利用したプログラム実行システム。
【請求項２】
前記管理プログラムは、実行ファイルのリストが表示されながら入力可能になる実行ファイル管理窓と、
ユーザーが直接所望のサイトのＵＲＬアドレスを入力するアドレス入力欄と、
アドレス入力欄に入力されたＵＲＬアドレスに該当するサイトの画面の提供を受けて表示するディスプレイ画面とからなることを特徴とする請求項１記載のマウスの左右両ボタンの同時クリックを利用したプログラム実行システム。
【請求項３】
前記実行ファイルは、ハングル、ワード、フォトショップ、インターネットエクスプローラ、ゲーム等のプログラム、コンピュータに内蔵された個別的な特定ファイル、インターネットサイトのＵＲＬ、ＲＳＳ(Really Simple Syndication)ページ、ニュースページ等の中から選択されるいずれか一つであることを特徴とする請求項１記載のマウスの左右両ボタンの同時クリックを利用したプログラム実行システム。
【請求項４】
マウスの左右両ボタンの同時クリックによって実行されるプログラムの実行ファイルを登録する段階と、
マウスのボタンがクリックされると、このクリックが前記マウスの左右両ボタンの同時クリックであるかどうかを判断する段階と、
前記左右両ボタンの同時クリックが確認されると、マウスボタンのクリック時に通常に表示される既設定のメニュー窓の表示を取り消す信号を伝送する段階と、
前記登録されたプログラムに対するリストを表示する段階と、
前記リストの中から選択されたプログラムの実行ファイルが実行される段階とを含むことを特徴とするマウスの左右両ボタンの同時クリックを利用したプログラム実行方法。
【請求項５】
前記管理プログラムに登録された実行ファイルが一つである場合、前記マウスの左右両ボタンの同時クリックが確認されると、管理プログラムが表示されずに前記登録された実行ファイルが直接実行されることを特徴とする請求項４記載のマウスの左右両ボタンの同時クリックを利用したプログラム実行方法。
【請求項６】
前記実行ファイルは、ハングル、ワード、フォトショップ、インターネットエクスプローラ、ゲーム等のプログラム、コンピュータに内蔵された個別的なファイル、インターネットサイトのＵＲＬ、ＲＳＳページ、ニュースページ、インターネットサービス等の中から選択されるいずれか一つであることを特徴とする請求項４記載のマウスの左右両ボタンの同時クリックを利用したプログラム実行方法。
【発明の詳細な説明】
【技術分野】
【０００１】
本発明は、コンピュータでマウスの左右両ボタンが同時にクリックされた際、使用中のプログラムとは関係なく所望の特定プログラムを優先的に速やかに実行させられる、マウスの左右両ボタンの同時クリックを利用したプログラムの実行システム及び実行方法に関する。
【背景技術】
【０００２】
最近に至って、個人用コンピュータは、ほとんどの家庭に普及されており、インターネットに接続されてわれわれの生活に欠かせない重要な道具になっている。
【０００３】
かかるコンピュータには文書作成プログラム、編集プログラム、インターネット関連プログラム等の各種のプログラムが設置されており、ユーザーは必要に応じて所望のプログラムの実行ファイルを選択して実行させることができる。
【０００４】
図１は、通常のプログラムの実行時に使用されるプログラムの選択画面を示すものである。同図に示すように、コンピュータで所望のプログラムを実行するためには、まずデスクトップの左下（タスクバーの左端）にあるスタートボタン１をクリックし、さらにスタートメニュー上に位置するプログラム以下にある実行ファイル２を選択して該当プログラムを実行させる方法が使用されるか、または基本画面に該当プログラムの実行ファイルをコピーし、これをダブルクリックして実行させる方法が使用された。
【０００５】
ところで、前者のスタートメニュー上の実行ファイルを実行させる方法には、ユーザーがほかのプログラムの作業を行う途中でスタートボタン１をクリックし、さらに実行ファイル２を選択する煩わしさがある。また、後者の基本画面上のプログラム実行ファイルを選択して実行させる方法には、他のプログラムが作業中であれば、該プログラムの画面から基本画面に移動してプログラムを選択する煩わしさがある。
【０００６】
また、特定インターネットサイトに接続（アクセス）するためには、Ｗｅｂブラウザをクリックして画面を開いた後、さらにアドレス入力覧に特定サイトのＵＲＬ(Uniform Resource Locator)アドレスを書き込まなければならないので、依然として多くの段階を必要とした。
【０００７】
本出願人は、上述のような問題を解決ために、大韓民国登録特許第０４１７６３９号（発明の名称：インターネットサイト接続方法）に、プログラムの使用中にマウスの左右両ボタンを同時にクリックすることでインターネットに直に接続できる方法を提示した。ところが、かかるインターネットサイトの接続方法は、インターネットへの接続を容易にしたが、コンピュータに内蔵されているプログラムを実行させる際には従来とおりの方法を使用するしかない問題点がある。
【０００８】
【特許文献１】大韓民国登録特許第０４１７６３９号
【発明の開示】
【発明が解決しようとする課題】
【０００９】
本発明は、かかる従来の問題点を解決するためのもので、その目的は、コンピュータでマウスの左右両ボタンを同時にクリックすることにより、使用中のプログラムと関係なく所望の特定プログラムを優先的に速やかに実行させることができる、マウスの左右両ボタンの同時クリックを利用したプログラム実行システム及び実行方法を提供することを課題とする。
【課題を解決するための手段】
【００１０】
上記目的を達成するために、本発明に係るマウスの左右両ボタンの同時クリックを利用したプログラム実行方法は、マウスの左右両ボタンの同時クリックによって実行されるプログラムの実行ファイルを登録する段階と、マウスのボタンがクリックされると、このクリックが前記マウスの左右両ボタンの同時クリックであるかどうかを判断する段階と、前記左右両ボタンの同時クリックが確認されると、マウスボタンのクリック時に通常に表示される既設定のメニュー窓が表示されないようメニュー窓の取消し信号を伝送する段階と、前記左右両ボタンの同時クリックが確認されると、前記登録されたプログラムに対するリストを表示する段階と、前記リストの中から選択されたプログラムの実行ファイルが実行される段階とを含むことを特徴とする。
【００１１】
好ましくは、前記プログラムの実行ファイルは、ハングル、ワード、フォトショップ、インターネットエクスプローラ、ゲーム等のプログラム、コンピュータに内蔵された個別的な特定ファイル、インターネットサイトのＵＲＬ、ＲＳＳ(Really Simple Syndication)ページ、ニュースページ等の中から選択されるいずれか一つであることことを特徴とする。
【００１２】
好ましくは、管理プログラムに登録された実行ファイルが一つである場合、前記マウスの左右両ボタンの同時クリックが確認されると、管理プログラムが表示されずに前記登録された実行ファイルが直接実行されることを特徴とする。
【００１３】
また、本発明のマウスの左右両ボタンの同時クリックを利用したプログラム実行システムは、管理プログラムにより、マウスの左右両ボタンの同時クリック時に実行されるプログラムの実行ファイルに対する情報の登録を受けて実行ファイルデータベース（以下、データベースは単に「ＤＢ」ともいう）に格納して管理する実行ファイル登録モジュールと、コンピュータに連結されたマウスの左クリック、右クリックまたは左右同時クリックの可否を判断するマウスクリック認識モジュールと、前記マウスの左右両ボタンが同時にクリックされると、マウスのボタンクリック時に通常に表示される既設定のメニュー窓が表示されないようにメニュー窓の取消し信号をコンピュータオペレーティングシステム（以下、オペレーティングシステムは単に「ＯＳ」ともいう）に伝送するＯＳ管理モジュールと、マウスクリック認識モジュールによってマウスの左右両ボタンの同時クリックが認識されるときに管理プログラムと共に表示される実行ファイルのリストの中からユーザーが該当プログラムを選択すると、選択されたプログラムを実行させる登録ファイル実行モジュールと、前記それぞれのモジュールのデータの流れを制御する制御モジュールとを含むことを特徴とする。なお、本発明ではコンピュータによって実行され実現される制御処理や機能をモジュールとして表現する。
【発明の効果】
【００１４】
本発明は、マウスの左右両ボタンの同時クリック時に、使用中のプログラムと関係なく所望の特定プログラムを優先的に速やかに実行させることができるという長所がある。
【００１５】
また、登録されたプログラムが一つである場合、マウスの左右両ボタンの同時クリックが確認されると、管理プログラムが表示されずに直接該当プログラムが実行されるようにして、ユーザーがよく使用するプログラムやインターネットサービスを手軽に使用できるようにするという長所がある。
【発明を実施するための最良の形態】
【００１６】
以下、添付図を参照しつつ、本発明のマウスの左右両ボタンの同時クリックを利用したプログラム実行システムについて詳細に説明する。
【００１７】
図２に示すように、コンピュータで各種の作業を行う中にユーザーがマウスの左右両ボタンを同時にクリックすると、管理プログラム１０が実行され、管理プログラム１０内に登録されたリストの中から所望のプログラムを選択すると、該当プログラムの実行ファイルが実行される。
【００１８】
一方、管理プログラム１０は、実行ファイルのリストが表示されながら入力可能になる実行ファイル管理窓１２と、ユーザーが直接所望のサイトのＵＲＬアドレスを入力するアドレス入力欄１６と、アドレス入力欄に入力されたＵＲＬアドレスに該当するサイトの画面の提供を受けて表示するディスプレイ画面１４とからなる。たとえば、管理プログラム１０のディスプレイ画面１４は、動映像または音楽等のリアルタイムダウンロードサービス、またはリアルタイムニュースサービスなどの様々なインターネットコンテンツの提供を受けるためのブラウザとして使用される。
【００１９】
図３を参照して、本発明のマウスの左右両ボタンの同時クリックを利用したプログラム実行システムをさらに詳しく説明すると、プログラム実行システムは、実行ファイル登録モジュール２２、マウスクリック認識モジュール２４、ＯＳ管理モジュール２６、登録ファイル実行モジュール２８、制御モジュール３０とからなり、実行ファイルＤＢ３２等のデータベースを含んでいる。
【００２０】
前記実行ファイル登録モジュール２２は、管理プログラム１０により、マウスの左右両ボタンの同時クリック時に実行されるプログラムの実行ファイルに対する情報の登録を受け、実行ファイルＤＢ３２に格納して管理する。登録される実行ファイル種類としては、ハングル、ワード、フォトショップ、インターネットエクスプローラ、ゲーム等のプログラム、コンピュータに内蔵された個別的ファイル、インターネットサイトのＵＲＬ、ＲＳＳページ、ニュースページなどの多様な種類が挙げられる。ここで、ＲＳＳ（Really Simple Syndicaton）は、ニュースやブログのようにコンテンツがしばしばアップデートされるサイトがアップデートされた情報を容易にユーザーに提供するために作られたフォーマットであって、ＸＭＬ(Extensible Markup Language)を基盤に採用しており、題目、内容、日付等の配布に必要な最小限の情報をユーザーが簡単に取得できるようにしたものである。
【００２１】
マウスクリック認識モジュール２４は、前記コンピュータに連結されたマウスのボタンがクリックされた場合、該クリックが左クリックか、右クリックか、または両ボタンの同時クリックかの可否を判断する。この際、マウスの両クリックが順次に行われた場合、０．１秒〜０．３秒内に両クリックが完了されると、マウスの両ボタンの同時クリックであると設定することができ、かかる認識時間をさらに短く調整することができる。
【００２２】
ＯＳ管理モジュール２６は、マウスの左右両ボタンが同時にクリックされると、マウスボタンのクリック時に通常に表示される既設定のメニュー窓（たとえば、登録情報）が表示されないようにメニュー窓の取消し信号をコンピュータＯＳ３４に伝送する。よって、マウスの両クリックが認識されると、コンピュータではメニュー窓が表示されず、プログラム実行ファイルの管理プログラム１０が表示される。
【００２３】
登録ファイル実行モジュール２８は、マウスクリック認識モジュール２４によってマウスの左右両ボタンの同時クリックが認識されるときに管理プログラム１０と共に表示された実行ファイルのリストの中からユーザーが特定プログラムを選択すると、選択されたプログラムを実行させる。このようなプログラムの実行は、選択されたプログラムに対する実行情報を該当プログラムの実行ファイルが選択されたようにコンピュータＯＳに提供し、コンピュータＯＳ３４で該当プログラムを実行させるように設定することができる。
【００２４】
さらに、制御モジュール３０は、前記それぞれのモジュールのデータの流れを制御するようになっている。
【００２５】
以下、図４に示すフローチャートを参照して、マウスの左右両ボタンの同時クリック時のプログラム実行方法について説明する。
【００２６】
まず、管理プログラムの実行ファイル登録モジュール２２の管理プログラム１０を利用して、コンピュータに連結されたマウスの左右両ボタンの同時クリック時に実行されるプログラムの実行ファイルに対する情報を登録し、実行ファイルＤＢ３２に格納する（段階Ｓ３２）。この際、登録可能なファイルとしては、ハングル、ワード、フォトショップ、インターネットエクスプローラ、ゲーム等のプログラム、コンピュータに内蔵された個別的ファイル、ホームページやインターネットサイトのＵＲＬ、ＲＳＳページ、ニュースページ、掲示板等の個別的なインターネットサイトのＵＲＬ、インターネットサービス等がすべて挙げられる。
【００２７】
このように実行ファイルの登録が完了された上でコンピュータに連結されたマウスの左ボタン、右ボタンがクリックされると、これが個別的クリックかそれとも同時クリックかの可否を判断する（段階Ｓ３４）。この際、個別的にクリックされた場合には、コンピュータＯＳ３４の基本マウスの使用状態に応じて作業が行われる。
【００２８】
判断結果、左右両ボタンの同時クリックが確認されると（段階Ｓ３６）、コンピュータＯＳ３４にマウスのボタンがクリックされたのを取り消す信号を出力させる（段階Ｓ３８）。前記出力信号を受けたコンピュータＯＳは、マウスのクリックを取消して、マウスのクリック時に表示される既設定のメニュー窓が表示されるのを防止することができる。
【００２９】
一方、左右両ボタンの同時クリックが確認されると、管理プログラム１０が画面の最上端で実行され（段階Ｓ４０）、実行ファイル管理窓１２に既登録の実行ファイルのリストが表示される（段階Ｓ４２）。この際、管理プログラム１０に登録された実行ファイルが一つである場合、管理プログラムが実行されずに既登録の実行ファイルが実行されるように設定することができる。
【００３０】
その後、ユーザーが管理プログラム１０に登録されたリストを確認して所望のプログラムの名前を選択すると、該当プログラムに対するクリック信号がコンピュータＯＳ３４に伝送されてプログラムが実行される（段階Ｓ４６）。たとえば、ユーザーがフォトショッププログラムで作業を行っている途中で、マウスの左右両ボタンをクリックして表示される管理プログラムのリストからワードを選択すると、図５に示すように、フォトショッププログラムの使用中にワードプログラムが優先画面として表示される。
【００３１】
前述した本発明によれば、マウスの簡単な操作、つまり、マウスの左右両ボタンを同時にクリックすることにより、インターネット作業またはフォトショップ等の作業途中で、ＭＳオフィス等のプログラムを簡便に実行させることができる。
【００３２】
以上説明した本発明は、本発明の属する技術分野で通常の知識を有する者によって本発明の技術的思想を外れない範囲内で色々な置換、変形及び変更が可能なので、前述した実施例及び添付図面に限定されるものではない。.
【図面の簡単な説明】
【００３３】
【図１】一般的なプログラムの実行時に使用されるプログラムの選択画面を示す図である。
【図２】本発明のマウスの左右両ボタンの同時クリックを利用したプログラム実行システムに係る管理プログラムの例を示す図である。
【図３】本発明のマウスの左右両ボタンの同時クリックを利用したプログラム実行システムの機能ブロック図である。
【図４】本発明のマウスの左右両ボタンの同時クリックを利用したプログラム実行方法を示すフローチャートを示す図である。
【図５】本発明によって表示される画面の例を示す図である。
【符号の説明】
【００３４】
１０    管理プログラム
１２    実行ファイル管理窓
１４    ディスプレイ画面
１６    アドレス入力欄
２２    実行ファイル登録モジュール
２４    マウスクリック認識モジュール
２６    ＯＳ管理モジュール
２８    登録ファイル実行モジュール
３０    制御モジュール
３２    実行ファイルＤＢ
３４    コンピュータＯＳ
【図１】
2005301967.tif 000003
【図２】
2005301967.tif 000004
【図３】
2005301967.tif 000005
【図４】
2005301967.tif 000006
【図５】
2005301967.tif 000007